(57)【要約】【課題】設計時に定められなかった機能に係るメニューはリモートコントローラでの操作などに応じて表示されるにすぎなかった。【解決手段】ＨＤＤ１２には、物体が液晶ディスプレイ２に接近すると液晶ディスプレイ２に対して操作項目を表示させ、この操作項目を物体の接近領域に応じて異ならせる処理をＣＰＵ１４に実行させるためのプログラムが記憶されている。また、ＨＤＤ１２には、操作項目データを接近領域に対応付けた操作項目テーブルや地図画像に対応する地図画像データなどが記憶されている。さらに、ＨＤＤ１２には、符合領域１、符合領域２、符合領域３および符合領域４にそれぞれに対応するＶＲＡＭ１８の領域、ＶＲＡＭ１８の各領域で表現すべき色および解像度を指定するためのデータが記憶されている。【選択図】図１
2007108841.tif 000002
【特許請求の範囲】
【請求項１】
物体の接近領域に応じて異なる検出値を出力する非接触センサに接続され、物体が表示装置に接近すると前記表示装置に対して操作項目を表示させるデータ処理装置であって、
前記表示装置に対して表示させる操作項目を前記接近領域に応じて異ならせる制御部を備えるデータ処理装置。
【請求項２】
前記制御部は、前記表示装置に対して表示させる操作項目を前記接近領域の組合せに応じて異ならせることを特徴とする請求項１に記載のデータ処理装置。
【請求項３】
前記制御部は、前記表示装置に対して前記非接触センサの検出対象領域に符合する符合領域で透過画像を表示させることを特徴とする請求項１に記載のデータ処理装置。
【請求項４】
前記制御部は、前記透過画像に係る色を単一色とすることを特徴とする請求項３に記載のデータ処理装置。
【請求項５】
前記制御部は、前記単一色を前記符合領域ごとに異ならせることを特徴とする請求項４に記載のデータ処理装置。
【発明の詳細な説明】
【技術分野】
【０００１】
本発明は、各種センサからのデータに応じて表示を制御するデータ処理装置に関するものであって、より詳しくは、オーディオヴィジュアル装置やナビゲーション装置などに関するものである。
【背景技術】
【０００２】
背景技術として、タッチパネルへの指の接近を検出する指接近検出機構と、この指接近検出機構に接続された画像表示ユニットとを備えるカーナビゲーション装置が知られている。画像表示ユニットは、タッチパネルへの指の接近が指接近検出機構で検出されると、液晶表示パネルに対して所定のメニューを表示させる。また、液晶表示パネルは、指の接近が検出された領域に対応する位置で所定のメニューを表示する（例えば、特許文献１を参照）。
【特許文献１】特開２００２−３５８１６２号公報（段落００１０−００１１、段落００２２ならびに図１を参照）
【発明の開示】
【発明が解決しようとする課題】
【０００３】
背景技術において、指の接近がどの領域で検出されても、同一の機能に係るメニューが表示されるにすぎない。例えば、指が液晶表示パネルの右隅および左隅の何れに接近しても、地図表示機能に係るメニューが表示される。
【０００４】
他方、近年、カーナビゲーション装置は、複数の機能を有している。ところが、背景技術が近年のカーナビゲーション装置に適用されても、指の接近時に表示されるメニューは、常に、同一の機能に係るメニューである。例えば、カーナビゲーション装置がＡＶ機能および地図表示機能を有する場合、ＡＶ機能および地図表示機能の一方が指の接近時におけるメニュー表示の対象として設計時に定められると、指の接近時に表示されるメニューは、常に、指の接近時におけるメニュー表示の対象として設計時に定められた機能に係るメニューである。すなわち、設計時に定められなかった機能に係るメニューは、指の接近によって表示されない。
【０００５】
背景技術によれば、カーナビゲーション装置が複数の機能を有している場合、設計時に定められなかった機能に係るメニューはリモートコントローラでの操作などに応じて表示されるにすぎないので、操作性が損なわれてしまうという課題があった。
【課題を解決するための手段】
【０００６】
本発明に係るデータ処理装置は、物体の接近領域に応じて異なる検出値を出力する非接触センサに接続され、物体が表示装置に接近すると前記表示装置に対して操作項目を表示させるデータ処理装置であって、前記表示装置に対して表示させる操作項目を前記接近領域に応じて異ならせる制御部を備えるものである。本発明における字句の解釈は、次のとおりである。
【０００７】
「物体の接近領域」とは、物体が表示装置に接近する方向に存在する領域であって、好ましくは、表示装置の表示領域上にある領域である。接近領域が表示領域上にある場合、各接近領域は、表示領域を区分してなる領域に対応する。
【０００８】
「非接触センサ」とは、検出媒体の放出方向を表示装置の表示領域に平行な方向とするセンサおよび検出媒体の放出方向を表示装置の表示領域に平行な方向としないセンサを含む概念である。
【０００９】
「操作項目」とは、その表示座標とセンサでの検出座標とが符合すると、所定の機能の実行を促すものである。
【００１０】
「表示装置に対して表示させる操作項目を前記接近領域に応じて異ならせる」とは、接近領域が一の領域であれば、一の操作項目が表示され、他方、接近領域が他の領域であれば、他の操作項目が表示されることである。具体的な処理として、好ましくは、非接触センサに係る検出対象領域と操作項目との対応関係が内部または外部の記憶媒体（ＨＤＤ、ＲＯＭやフラッシュメモリなど）に記憶され、物体が接近している検出対象領域（接近領域）に対応する操作項目が特定されるものである。
【００１１】
「制御部」とは、ハードウエアまたはハードウエアおよびソフトウエアとの協働によって表示制御を実現するものである。
【００１２】
「制御部」は、好ましくは、前記表示装置に対して表示させる操作項目を前記接近領域の組合せに応じて異ならせるものである。具体的な処理として、好ましくは、非接触センサに係る検出対象領域の組合せと操作項目との対応関係が内部または外部の記憶媒体（ＨＤＤ、ＲＯＭやフラッシュメモリなど）に記憶され、物体が接近している検出対象領域（接近領域）の組合せに対応する操作項目が特定されるものである。
【００１３】
「制御部」は、好ましくは、前記表示装置に対して前記非接触センサの検出対象領域に符合する符合領域で透過画像を表示させるものである。本発明に係る字句の解釈は、次のとおりである。
【００１４】
「検出対象領域」とは、非接触センサが物体の接近を検出可能な領域である。「符合する」とは、２つのものが重なることである。すなわち、「符合領域」とは、表示装置の表示領域と非接触センサの検出対象領域との重なり領域である。
【００１５】
「透過画像」とは、背景画像を透過する画像である。「透過画像」に係る色は、好ましくは、単一色である。さらに、「単一色」は、好ましくは、符合領域ごとに異なるものである。
【発明の効果】
【００１６】
本発明は、表示装置に対して表示させる操作項目を接近領域に応じて異ならせることによって、複数の機能に係る操作項目を表示するための操作が簡易になるという効果を有する。
【発明を実施するための最良の形態】
【００１７】
以下、本発明に係るデータ処理装置を実施するための最良の形態は、図１ないし図１３で示される。
【００１８】
＜ナビゲーションシステム１の構成＞本実施の形態に係るのナビゲーションシステム１の構成は、図１で示される。ナビゲーションシステム１は、画像を表示する液晶ディスプレイ２（「表示装置」に相当する）と、液晶ディスプレイ２に接続されるナビゲーション装置３（「データ処理装置」に相当する）と、Ａ/Ｄコンバータ４を介してナビゲーション装置３に接続される近接センサ５（「非接触センサ」に相当する）とを備える。また、ナビゲーションシステム１は、現在位置に対応するデータを出力する測位センサ６、接触に応じてデータを出力するタッチパネル７および音声を出力するスピーカ８とを備える。
【００１９】
＜液晶ディスプレイ２の構成＞液晶ディスプレイ２の構成は、図２および図３で示される。液晶ディスプレイ２は、８個の近接センサ５が表示領域２ａの周囲に埋め込まれているものである。液晶ディスプレイ２の一辺には、２個の近接センサ５が埋め込まれている。そして、近接センサ５の配置順は、時計回りに第０番目ないし第７番目である（図２を参照）。また、近接センサ５は、その検出媒体（例えば、赤外線）の放出方向と表示領域２ａの法線方向とが平行となる状態で設けられている（図３を参照）。そして、液晶ディスプレイ２の表示領域２ａと近接センサ５の検出対象領域との重なり部分は、符合領域として定義される（図２を参照）。また、液晶ディスプレイ２の表示領域２ａ上には、タッチパネル７が設けられている。
【００２０】
＜ナビゲーション装置３の構成＞ナビゲーション装置３の構成は、図１で示されている。ナビゲーション装置３は、データを入出力するＩ／Ｏ１１と、各種プログラムやデータなどを記憶するＨＤＤ１２と、ＢＩＯＳなどの基本プログラムを記憶するＲＯＭ１３と、ＨＤＤ１２およびＲＯＭ１３に記憶されたプログラムを実行するＣＰＵ１４と、ＣＰＵ１４での処理データなどを記憶するＲＡＭ１５と、音声データを処理する音声ＬＳＩ１６と、画像データを処理する画像ＬＳＩ１７と、画像ＬＳＩ１７での処理データを保持するＶＲＡＭ１８と、特定の周期で起動データを出力するタイマ１９とを備え、これらのハードウエアは、バスで接続されている。
【００２１】
Ｉ／Ｏ１１の入力側には、近接センサ５がＡ／Ｄコンバータ４を介して接続されている。また、測位センサ６およびタッチパネル７が接続されている。他方、Ｉ／Ｏ１１の出力側には、液晶ディスプレイ２およびスピーカ８が接続されている。
【００２２】
ＨＤＤ１２には、物体が液晶ディスプレイ２に接近すると液晶ディスプレイ２に対して操作項目を表示させ、この操作項目を物体の接近領域に応じて異ならせる処理をＣＰＵ１４に実行させるためのプログラムが記憶されている。また、ＨＤＤ１２には、操作項目を検出対象領域に対応付けた操作項目テーブルや地図画像に対応する地図画像データなどが記憶されている。さらに、ＨＤＤ１２には、符合領域１、符合領域２、符合領域３および符合領域４にそれぞれに対応するＶＲＡＭ１８の領域、ＶＲＡＭ１８の各領域で表現すべき色および解像度を指定するためのデータが記憶されている。
【００２３】
＜近接センサ５の構成＞近接センサ５の構成は、図４および図５で示される。近接センサ５は、検出媒体を放出する放出素子５ａおよび検出媒体を検出する検出素子５ｂを備える。物体が近接センサ５に対向する場合、放出素子５ａが検出媒体を放出すると、検出素子５ｂは、物体で反射された検出媒体を検出し、この検出媒体の物理量（例えば、エネルギー）に対応する検出値データ（以下、検出値という）を出力する（図４を参照）。検出される検出媒体の物理量（例えば、エネルギー）は、近接センサ５と物体との距離に対応している（図５を参照）。
【００２４】
＜データ処理＞本実施の形態におけるデータ処理は、図６ないし図１３で示される。ＣＰＵ１４は、ＨＤＤ１２に記憶された各種プログラムおよびデータをＲＡＭ１５に展開し、以下の処理を実行する。
【００２５】
＜格納処理＞格納処理は、図６で示される。ＣＰＵ１４は、タイマ１４で出力される起動データを割り込みとして、以下の処理を周期的に実行する。格納処理とは、所定値Ｖｓｃよりも小さな検出値を「０」とみなす処理であって、Ｉ／Ｏ１１のポートアドレス（ｎ＝０）から順に実行される。なぜなら、近接センサ５は、物体が存在しない場合であっても、検出値Ｖｓｎを出力しているからである。
【００２６】
ＣＰＵ１４は、ＲＡＭ１５の検出値格納領域（Ｎ＝０〜７）を初期化する（ステップＳ１）。具体的には、初期値として「０」が検出値格納領域（Ｎ＝０〜７）に格納される（図７を参照）。
【００２７】
ステップＳ１で初期化がなされると、ＣＰＵ１４は、検出値Ｖｓｎが所定値Ｖｓｃ以上であるか否かを判定する（ステップＳ２）。具体的には、Ｉ／Ｏ１１のポートアドレス（ｎ＝０〜７）には、それぞれ、近接センサ５（第０〜７番目）で出力された検出値Ｖｓｎが入力されており（図７を参照）、各検出値Ｖｓｎと所定値Ｖｓｃとが比較される。本実施の形態では、「Ｖｓｃ＝１６０ｍｖ」が用いられている。
【００２８】
ステップＳ２で検出値Ｖｓｎが所定値Ｖｓｃ以上であるとの判定がなされると（Ｓ２のＹｅｓ）、ＣＰＵ１４は、検出値ＶｓｎをＲＡＭ１５に格納する（ステップＳ３）。具体的には、第ｎ番目のポートアドレスに入力された検出値Ｖｓｎは、ＲＡＭ１５の第Ｎ番目の検出値格納領域（Ｎ）に格納される。このとき、カウント数１がＲＡＭ１５に保持された格納回数に加算される。ここで、格納回数とは、検出値ＶｓｎがＲＡＭ１５の検出値格納領域（Ｎ）に格納された回数である。
【００２９】
他方、ステップＳ２１で検出値Ｖｓｎが所定値Ｖｓｃ以上ではないとの判定がなされると（Ｓ２のＮｏ）、検出値ＶｓｎはＲＡＭ１５に格納されず、初期値「０」が維持される。
【００３０】
ステップＳ２からステップＳ３までの処理が１つのポートアドレスに対して実行されると、ＣＰＵ１４は、格納処理が全てのポートアドレスに対して実行されたか否かを判定する（ステップＳ４）。具体的には、ステップＳ２からステップＳ３までの処理の実行数が計数され、その実行数とポートアドレスの全数とが等しいか否かが判定される。
【００３１】
ステップＳ４で格納処理が全てのポートアドレスに対しては実行されていないとの判定がなされると（Ｓ４のＮｏ）、ＣＰＵ１４は、ポートアドレスを変えて、ステップＳ２からステップＳ３までの処理を再び実行する。
【００３２】
他方、ステップＳ３で格納処理が全てのポートアドレスに対して実行されたとの判定がなされると（Ｓ４のＹｅｓ）、ＣＰＵ１４は、格納処理を終了する。
【００３３】
＜操作項目表示処理＞操作項目表示処理は、図８で示される。操作項目表示処理とは、いわゆるタッチスイッチを表示するための処理であって、通常処理の一部である（例えば、地図表示処理などとともにループ処理をなしている）。
【００３４】
ＣＰＵ１４は、ポートアドレスに入力された検出値Ｖｓｎの格納回数が１回以上であるか否かを判定する（ステップＳ１１）。具体的には、ＲＡＭ１５に記憶された格納回数が参照されて、その回数は「０」であるか否かが判定される。
【００３５】
ステップＳ１１で格納回数が１回以上ではないとの判定がなされる（Ｓ１１のＮｏ）、すなわち、格納回数が０回であるとの判定がなされると、ＣＰＵ１４は、操作項目表示処理を終了する。
【００３６】
他方、ステップＳ１１で格納回数が１回以上であるとの判定がなされる（Ｓ１１のＹｅｓ）、ＣＰＵ１４は、「接近領域＝−１」をＲＡＭ１５の接近領域格納領域に設定する（ステップＳ１２）。「接近領域＝−１」とは、いわゆる無効値であって、接近領域が検出対象領域１ないし検出対象領域４（図２を参照）の何れでもないことを意味する。
【００３７】
ステップＳ１２で「接近領域＝−１」が設定されると、ＣＰＵ１４は、検出値格納領域に格納された検出値ＶｓＮの最大値ＶｓＮ（ｍａｘ）を求める（ステップＳ１３）。具体的には、クイックソート法などが演算アルゴリズムとして用いられる。
【００３８】
ステップＳ１３で最大値ＶｓＮ（ｍａｘ）が求められると、ＣＰＵ１４は、最大値ＶｓＮ（ｍａｘ）が所定値Ｖｄ以上であるか否かを判定する（ステップＳ１４）。本実施の形態では、所定値Ｖｄは「Ｖｄ＝５００ｍＶ」に設定されている。
【００３９】
ステップＳ１４で最大値ＶｓＮ（ｍａｘ）は所定値Ｖｄ以上ではないとの判定がなされると（Ｓ１４のＮｏ）、ＣＰＵ１４は、操作項目表示処理を終了する。
【００４０】
他方、ステップＳ１４で最大値ＶｓＮ（ｍａｘ）は所定値Ｖｄ以上であるとの判定がなされると（Ｓ１４のＹｅｓ）、ＣＰＵ１４は、ＲＡＭ１５の検出値格納領域の中から検出値ＶｓＮの昇順に３つのアドレス（Ｎｆ、Ｎｓ、Ｎｔ）を選択する（ステップＳ１５）。具体的には、３つのアドレス（Ｎｆ、Ｎｓ、Ｎｔ）は、ステップＳ５での処理結果を用いて選択される。ここで、ＲＡＭ１５のアドレス（Ｎ＝０〜７）は、それぞれ、近接センサの番号（０〜７）に対応している（図７を参照）。したがって、例えば、ＲＡＭ１５のアドレス（Ｎ＝０）には、第０番目の近接センサ５での検出値または初期値が格納されている。
【００４１】
ステップＳ１５で３つのアドレス（Ｎｆ、Ｎｓ、Ｎｔ）が選択されると、ＣＰＵ１４は、サブルーチンとして定義された領域判定処理（＜領域判定処理＞の欄および図１０を参照）を呼び出す（ステップＳ１６）。ここで、領域判定処理とは、接近領域が検出対象領域１から検出対象領域４までの何れに属するかを判定する処理である。
【００４２】
ステップＳ１６で領域判定処理が１つの検出対象領域について実行されると、ＣＰＵ１４は、領域判定処理が全ての検出対象領域（１〜４）について実行されたか否かを判定する（ステップＳ１７）。
【００４３】
ステップＳ１７で領域判定処理が全ての検出対象領域については実行されていないとの判定がなされると（Ｓ１７のＮｏ）、ＣＰＵ１４は、検出対象領域を変えて、領域判定処理を再び実行する。
【００４４】
他方、ステップＳ１７で領域判定処理が全ての検出対象領域について実行されたとの判定がなされると（Ｓ１７のＹｅｓ）、ＣＰＵ１４は、操作項目テーブル（図９を参照）を用いて、液晶ディスプレイ２に対してステップＳ１６で得られた接近領域に対応する操作項目を表示させるための制御データを出力する（ステップＳ１８）。画像ＬＳＩ１７は、ＣＰＵ１４からの制御データに従って、操作項目データをＶＲＡＭ１８に展開し、ＶＲＡＭ１８に展開された操作項目データを液晶ディスプレイ２に出力する。そして、液晶ディスプレイ２は、その表示領域２ａで接近領域に対応する操作項目を表示する。
【００４５】
＜領域判定処理＞領域判定処理は、図１０で示される。検出対象領域１ないし検出対象領域４は、それぞれ、表示領域の右上、右下、左下および左上付近に存在する。したがって、接近領域が検出対象領域１から検出対象領域４までの何れに属する場合、３つのアドレス（Ｎｆ、Ｎｓ、Ｎｔ）は、アドレス番号の集合{０，１、ｘ}、{２，３、ｘ}、{４，５、ｘ}および{６，７、ｘ}の何れか（ｘは任意数である）である。これらの集合の一般解は、{２ｋ，２ｋ＋１，ｘ}（但し、ｋは、０、１、２、３の何れかの１値である）で表現される。また、接近領域の一般解は、「ｋ＋１」である（図１１を参照）。
【００４６】
ＣＰＵ１４は、３つのアドレス（Ｎｆ、Ｎｓ、Ｎｔ）の何れかがＮ＝２ｋであるか否かを判定する（ステップＳ２１）。例えば、ｋが「ｋ＝０」であれば、Ｎは「Ｎ＝０」であるから、３つのアドレス（Ｎｆ、Ｎｓ、Ｎｔ）の何れかはＮ＝０であるか否かが判定される。すなわち、第０番目の近接センサ５での検出値が昇順で３番目以内に入っているか否かが判定される。
【００４７】
ステップＳ２１で３つのアドレス（Ｎｆ、Ｎｓ、Ｎｔ）の何れもがＮ＝２ｋではないとの判定がなされると（Ｓ２１のＮｏ）、ＣＰＵ１４は、メインルーチン（Ｓ１７）に戻る。
【００４８】
他方、ステップＳ２１で３つのアドレス（Ｎｆ、Ｎｓ、Ｎｔ）の何れかがＮ＝２ｋであるとの判定がなされると（Ｓ２１のＹｅｓ）、ＣＰＵ１４は、３つのアドレス（Ｎｆ、Ｎｓ、Ｎｔ）の何れかはＮ＝２ｋ＋１であるか否かを判定する（ステップＳ２２）。例えば、ｋが「ｋ＝０」であれば、Ｎは「Ｎ＝１」であるから、３つのアドレス（Ｎｆ、Ｎｓ、Ｎｔ）の何れかがＮ＝１であるか否かが判定される。すなわち、第１番目の近接センサ５での検出値が昇順で３番目以内に入っているか否かが判定される。
【００４９】
ステップＳ２２で３つのアドレス（Ｎｆ、Ｎｓ、Ｎｔ）の何れもがＮ＝２ｋ＋１ではないとの判定がなされると（Ｓ２２のＮｏ）、ＣＰＵ１４は、メインルーチン（Ｓ１７）に戻る。
【００５０】
他方、ステップＳ２２で３つのアドレス（Ｎｆ、Ｎｓ、Ｎｔ）の何れかがＮ＝２ｋ＋１であるとの判定がなされると（Ｓ２２のＹｅｓ）、ＣＰＵ１４は、接近領域を検出対象領域（「ｋ＋１」）に設定する。例えば、ｋが「ｋ＝０」である場合に、第０番目の近接センサ５および第１番目の近接センサ５での検出値がそれぞれ昇順で３番目以内に入っていれば、接近領域は検出対象領域（「０＋１」）であり、物体は検出対象領域１に接近していることになる。
【００５１】
なお、以上の処理が「ｋ＝０」、「ｋ＝１」、「ｋ＝２」および「ｋ＝３」について順に実行されれば、接近領域が検出対象領域１ないし検出対象領域４の何れに属するかが判定されることになる。
【００５２】
＜表示例＞本実施の形態での表示例は、図１２で示される。本実施の形態によれば、物体が検出対象領域４に接近すれば、検出対象領域４はＡＶメニュー表示用の検出対象領域であるから（図９を参照）、ＡＶメニューに係る操作項目が表示される（図１２（ａ）を参照）。他方、物体が検出対象領域３に接近すれば、検出対象領域３は縮尺変更メニュー表示用の検出対象領域であるから（図９を参照）、ＡＶメニューに係る操作項目が表示される（図１２（ｂ）を参照）。
【００５３】
＜符合領域の案内例＞符合領域の案内例は、図１３で示される。指が液晶ディスプレイ２に接近する前には、液晶ディスプレイ２は、符号領域１ないし４でそれぞれ単一色の透過画像を表示する（図１３（ａ）を参照）。透過画像に係る色は、それぞれ異なっている。本実施の形態では、透過画像に係る色は、符合領域１、符合領域２、符合領域３および符合領域４で、それぞれ、水色、乳白色、桃色および青色である。符合領域を案内するためには、ＣＰＵ１４が、符合領域１、符合領域２、符合領域３および符合領域４にそれぞれに対応するＶＲＡＭ１８の領域、ＶＲＡＭ１８の各領域で表現すべき色および解像度を指定する制御データを画像ＬＳＩ１７に出力すればよい。そして、物体の接近領域が符合領域付近に接近すれば、操作項目が表示される（図１３（ｂ）を参照）。
【００５４】
＜本実施の形態における効果＞本実施の形態によれば、物体が各検出対象領域に接近すれば、物体の接近先である検出対象領域に対応付けられた操作項目が表示されるので（図１２を参照）、複数の機能に係る操作項目を表示するための操作が簡易になる。
【００５５】
本実施の形態によれば、指が液晶ディスプレイ２に接近する前には、各符号領域でそれぞれ単一色の透過画像が表示されるので（図１３（ａ）を参照）、ユーザに対して指を接近させるべき表示領域を認識させることができる。
【００５６】
本実施の形態によれば、各符号領域でそれぞれ異なる色が表示されるので（図１３（ａ）を参照）、ユーザに対して検出対象領域（本実施の形態では、検出対象領域は符合領域よりも広い）と操作項目との対応関係を間接的に認識させることができる。
【００５７】
＜変形例１＞本実施の形態では、接近領域と操作項目との対応関係が１対１であるが、接近領域と操作項目との対応関係が複数対単数であってもよい。つまり、表示される操作項目が接近領域の組合せで異なってもよい。この場合、操作項目テーブルは、単数の検出対象領域に代えて検出対象領域の組合せを定義することになる。本実施の形態によれば、機能が増加した場合であっても、複数の機能に係る操作項目を表示するための操作が簡易になる。
【００５８】
＜変形例２＞本実施の形態では、近接センサ５による検出媒体の放出方向と表示領域２ａの法線方向とが平行であるが、近接センサ５による検出媒体の放出方向と表示領域２ａの法線方向とが垂直であっても、本発明は実施可能である。
【産業上の利用可能性】
【００５９】
以上のように、本発明は、複数の機能に係る操作項目を表示するための操作が簡易になるという効果を有し、オーディオヴィジュアル装置やナビゲーション装置などとして有用である。
【図面の簡単な説明】
【００６０】
【図１】本発明に係るデータ処理装置を実施するための最良の形態の構成を示すハードウエア構成図
【図２】液晶ディスプレイと近接センサとの配置関係を示す図
【図３】近接センサによる検出媒体の放出方向を示す図
【図４】近接センサの構成を示す構成図
【図５】近接センサにおける近接距離と検出値との関係を示す関係図
【図６】格納処理の流れを示すフロー図
【図７】近接センサ、ポートアドレスおよび格納領域の関係を示す関係図
【図８】操作項目表示処理の流れを示すフロー図
【図９】接近領域と操作項目との対応関係を示す図
【図１０】領域判定処理の流れを示すフロー図
【図１１】センサ番号の組み合わせと接近領域との関係を示す図
【図１２】（ａ）物体が符合領域４に接近した場合の表示例を示す図（ｂ）物体が符合領域３に接近した場合の表示例を示す図
【図１３】（ａ）透過画像の表示例を示す図（ｂ）透過画像が消滅した状態を示す図
【符号の説明】
【００６１】
１    ナビゲーションシステム
２    液晶ディスプレイ（表示装置）
２ａ    表示領域
３    ナビゲーション装置
５    近接センサ（非接触センサ）
１４    ＣＰＵ（制御部）
【図１】
2007108841.tif 000003
【図２】
2007108841.tif 000004
【図３】
2007108841.tif 000005
【図４】
2007108841.tif 000006
【図５】
2007108841.tif 000007
【図６】
2007108841.tif 000008
【図７】
2007108841.tif 000009
【図８】
2007108841.tif 000010
【図９】
2007108841.tif 000011
【図１０】
2007108841.tif 000012
【図１１】
2007108841.tif 000013
【図１２】
2007108841.tif 000014
【図１３】
2007108841.tif 000015